(57)【要約】【課題】画像表示装置の投射姿勢が変化しても高輝度放電ランプの冷却状態を一定の状態に維持することができ、かつ、冷却用のファンが加熱されることが防止され、このファンの信頼性や耐久性が損なわれることがないようになされた光源装置を提供する。【解決手段】前端部が開放され後端部に後方側透孔部２ａを有し高輝度放電ランプ１から発せられる光を凹面反射面により反射して前方に放射させるリフレクタ２と、略々中央部に前方側透孔部５を有しリフレクタ２の前端部を閉蓋する透明板４と、これらリフレクタ２及び透明板４により形成され高輝度放電ランプ１を収納している空間内に前方側透孔部５を介して外気を送り込み後方側透孔部２ａを介して排気させるファン装置９とを備えている。【選択図】図１
2005251633.tif 000002
【特許請求の範囲】
【請求項１】
中心部に放電ランプを挿入する第１透孔部が形成され、前記放電ランプから発する光を前方に反射させる凹面反射部を備えたリフレクタと、
前記リフレクタの第１透孔部と対向する第２透孔部を備え、前記凹面反射部を覆う透明板と、
前記凹面反射部と前記透明板との間に形成された空間内に前記第１又は第２透孔部を介して外気を送り込む送風手段と、
を備えたことを特徴とする光源装置。
【請求項２】
中心部に放電ランプを挿入する第１透孔部が形成され、前記放電ランプから発する光を前方に反射させる凹面反射部を備えたリフレクタと、
前記第１透孔部を中心として回転可能であり、前記放電ランプから発する光の出射方向と直交する方向から偏心方向に第２透孔部を有して前記凹面反射部を覆う透明板と、
第２透孔部から最も離れた前記透明板の端に設けられた錘と、
前記凹面反射部と前記透明板との間に形成された空間内に前記第１又は第２透孔部を介して外気を送り込む送風手段と、
を備えたことを特徴とする光源装置。
【発明の詳細な説明】
【技術分野】
【０００１】
本発明は、例えば、いわゆる「液晶プロジェクタ」などの画像表示装置等において用いられる光源装置に関する。
【背景技術】
【０００２】
従来、透過型液晶デバイス、反射型液晶デバイス、あるいは、マイクロミラーデバイスなどの空間光変調素子及びこの空間光変調素子を照明する光源装置を有して構成された画像表示装置が提案されている。空間光変調素子として透過型液晶デバイスや反射型液晶デバイスを使用した画像表示装置は、「液晶プロジェクタ」ともいわれている。
【０００３】
図８は、従来の光源装置を備えた画像表示装置の構成を示す図である。図８（ａ）は画像表示装置の平面図であり、図８（ｂ）は画像表示装置の側面図である。
【０００４】
このような画像表示装置は、図８（ａ）及び図８（ｂ）に示すように、光源装置１０１から発せられた光束によって照明された空間光変調素子（図示せず）の像を、結像光学系１０３によって図示しないスクリーン上に投射して結像させ、画像表示を行うようになっている。
【０００５】
光源装置１０１は、光源となる高輝度放電ランプ１０１ａと、この高輝度放電ランプ１０１ａを覆うようにして配置されたリフレクタ（凹面反射鏡）１０１ｂとから構成されている。光源となる高輝度放電ランプ１０１ａとしては、点光源、高輝度、高演色性等の特性を有するものが好ましく、ショートアークタイプのメタルハライドランプや、超高圧水銀ランプ等が使用されている。
【０００６】
ところで、点灯している高輝度放電ランブ１０１ａの発光管は、この高輝度放電ランプ１０１ａから放射される光エネルギにより、高温となる。この発光管は、石英ガラスにより形成されていることが多く、最高温度を１０００°Ｃ程度以下に抑える必要がある。発光管の温度がこの最高温度を超えてしまうと、石英ガラスに含まれる不純物を核とした結晶化が進行してしまい、発光管の透明性が失われるいわゆる失透が生じ、高輝度放電ランプ１０１ａから充分な光束が放射されなくなる虞れがあるからである。また、高輝度放電ランブ１０１ａの温度が所定の最高温度を超えてしまうと、短寿命化や信頼性の低下、照度特性の変化、発光管の破裂等の問題も生じてしまうからである。
【０００７】
そこで、このような画像表示装置の光源装置においては、高輝度放電ランプ１０１ａの発光管を所定の最高温度以下に保つように、冷却ファンにより、強制空冷を行っている。
【０００８】
また、点灯している高輝度放電ランブ１０１ａにおいては、アーク放電による内部気体（アークプラズマ）の対流などにより、発光管壁の上側部分が高温となる性質がある。この発光管壁の上側部分と下側部分との温度差は、１００°Ｃ乃至２００°Ｃ程度となることがある。したがって、この高輝度放電ランプ１０１ａにおいては、発光管壁の上側部分における最高温度を、前述した所定の温度以下に抑える必要がある。また、この高輝度放電ランプ１０１ａの発光管壁の上側部分と下側部分との温度差が大きくなりすぎることでも照度特性に変化が現れるので、発光管壁の上側部分と下側部分との温度差を所定の温度範囲内に抑える必要もある。
【０００９】
したがって、高輝度放電ランプ１０１ａの強制冷却を行う場合には、発光管の下側部分の温度が必要以上に低下しないようにする必要がある。これは、発光管壁の上側部分と下側部分との温度差が大きくなりすぎると照度特性に変化が現れるからであり、また、発光管内の水銀圧力を所望の圧力に保つためには、水銀蒸気圧が所望の圧力以上になるように、発光管内の温度を維持する必要があるからである。
【００１０】
図９は、従来の光源装置における冷却機構の構成を示す平面図である。
【００１１】
従来の光源装置においては、図９に示すように、リフレクタの側方より冷却風を送り込むようにした構成のものが提案されている。すなわち、この画像表示装置においては、冷却ファン装置１０４により、リフレクタ１０１ｂの側方より冷却風が送り込まれ、高輝度放電ランプ１０１ａ及びリフレクタ１０１ｂが冷却される。
【００１２】
また、特許文献１に記載されている光源装置においては、図１０に示すように、リフレクタ１０１ｂの前方側に通気口１０５を設け、後方側に排気口１０６を設け、この排気ロ１０６の背後に排気ファン装置９４を設置することにより、リフレクタ１０１ｂの前方側の通気口１０５より冷却風が吸い込まれるようにして、高輝度放電ランプ１０１ａが中心軸に対して対称に冷却されるようにした光源装置が提案されている。
【００１３】
さらに、特許文献２に記載されているように、リフレクタの前端部の上方側に吸気口を設け、この吸気口からリフレクタ内に送り込まれる冷却風により、高輝度放電ランプの上側部分が冷却されるようにした光源装置が提案されている。
【００１４】
また、特許文献３には、図１１に示すように、通気口１０５から導入される冷却風の方向を導風板１０７により制御して、高輝度放電ランプ１０１ａの上側部分が冷却されるようにした光源装置が記載されており、また、図１２に示すように、冷却風が導入される吸気口１０５の位置を、リフレクタ１０１ｂの側方であって高輝度放電ランプ１０１ａよりも上方の位置として、高輝度放電ランプ１０１ａの上側部分が冷却されるようにした光源装置が記載されている。
【００１５】
さらに、特許文献４には、リフレクタの後端部の上方側に吸気口を設け、この吸気口からリフレクタ内に送り込まれる冷却風により、高輝度放電ランプの上側部分が冷却されるようにした光源装置が記載されている。
【特許文献１】特開平８−１８６７８４号公報
【特許文献２】特開２００２−１８９２４７号公報
【特許文献３】特開平１０−１０６３０７号公報
【特許文献４】特開平１０−１１５８７３号公報
【発明の開示】
【発明が解決しようとする課題】
【００１６】
図１３は、各投射姿勢における画像表示装置を示す側面図である。
【００１７】
前述のような画像表示装置は、図１３（ａ）に示すように、机や台１０８の上に設置された投射姿勢となされて使用される場合や、図１３（ｂ）に示すように、天井１０９から吊り下げられた投射姿勢となされて使用される場合がある。また、この画像表示装置は、図１３（ｃ）に示すように、所定の仰角をもって投射する投射姿勢となされて使用される場合や、図１３（ｄ）に示すように、所定の俯角をもって投射する投射姿勢となされて使用される場合もある。この画像表示装置において、このように投射姿勢が変化した場合には、光源である高輝度放電ランプは、中心軸回りに回転することとなる。
【００１８】
ここで、前述した従来の光源装置のうち、特許文献２乃至特許文献４に記載されているように、発光管の上側部分に強く冷却風を当てることにより、この上側部分が下側部分よりも強く冷却されるようにしたものにおいては、画像表示装置の投射姿勢の変化により、高輝度放電ランプの冷却状態が大幅に変化してしまうという問題がある。
【００１９】
例えば、図１３（ａ）に示す投射姿勢において発光管の上側部分を強く冷却し下側部分を弱く冷却する構成においては、この投射姿勢においては発光管の上側部分及び下側部分の温度差が小さくなり、好ましい冷却状態といえる。しかし、この画像表示装置を、図１３（ｂ）に示す投射姿勢として使用すると、図１４及び図１５に示すように、発光管の上側部分及び下側部分が逆転し、導風板１０７の向き、あるいは、吸気口１０５及び高輝度放電ランプ１０１ａの位置関係が上下逆になり、高輝度放電ランプ１０１ａの発光管の下側に冷却風が多く流れることになるので、発光管は、高温となる上側部分が弱く冷却され、低温である下側部分が強く冷却される状態となる。
【００２０】
このように、発光管の下側部分に強い冷却風が流れると、発光管の上側部分の冷却不足及び下側部分の過冷却が発生することとなる。その結果、発光管の上側部分の温度が、例えば１０００°Ｃ以上となり、発光管の失透が促進されて高輝度放電ランプの寿命が短くなる虞れがあり、また、発光管の下側部分の温度が下がりすぎて充分な水銀圧力が得られなくなり発光量が減少するなどの不具合が発生する。さらに、発光管の上側部分と下側部分との温度差が大きくなり、照度特性にも悪影響が生ずる。
【００２１】
ここで、図９に示した光源装置においては、冷却風が高輝度放電ランプの中心軸に対して横方向から送られてくるので、この高輝度放電ランプについて上下対称な冷却がなされる。しかし、図１３（ｃ）及び図１３（ｄ）に示すような仰角や俯角をもって投射する投射姿勢となされて使用される場合を考慮すると、高輝度放電ランプの冷却状態については、上下の対称性のみでは不十分であり、高輝度放電ランプの中心軸について軸対称な冷却状態が好ましいことになる。
【００２２】
特許文献１に記載された光源装置においては、発光管の冷却状態が高輝度放電ランプの中心軸について軸対称となっているので、このような不具合が避けられるようにも思われる。すなわち、この光源装置においては、リフレクタの前方側に通気口、後方側に排気口を設け、この排気ロの背後に排気ファンを設置し、通気口より冷却風を吸い込むことにより、高輝度放電ランプの中心軸について略々軸対称な冷却状態を実現しているからである。
【００２３】
しかし、特許文献１に記載された光源装置においては、リフレクタの前方側には可視光線を遮る物体を置くことができないために排気ファンの設置位置をリフレクタの背後位置とせざるを得ず、排気ファンが高温となってしまうという問題がある。すなわち、高輝度放電ランプは大量の熱を発生するため発光管表面の高温部は９００°Ｃ以上になっており、この高輝度放電ランプを冷却した排気も高温となり、この排気が通過する排気ファンが加熱されて高温となってしまうのである。排気ファンが高温となると、この排気ファンの信頼性が低下し、短寿命になってしまうという問題がある。
【００２４】
そこで、本発明は、前述の実情に鑑みなされたものであって、画像表示装置の投射姿勢が変化しても高輝度放電ランプの冷却状態を一定の状態に維持することができ、かつ、冷却用のファンが加熱されることが防止され、このファンの信頼性や耐久性が損なわれることがないようになされた光源装置を提供することを目的とする。
【課題を解決するための手段】
【００２５】
上述の課題を解決するため、本発明に係る光源装置は、中心部に放電ランプを挿入する第１透孔部が形成され、前記放電ランプから発する光を前方に反射させる凹面反射部を備えたリフレクタと、前記リフレクタの第１透孔部と対向する第２透孔部を備え、前記凹面反射部を覆う透明板と、前記凹面反射部と前記透明板との間に形成された空間内に前記第１又は第２透孔部を介して外気を送り込む送風手段と、を備えたものである。
【００２６】
この光源装置においては、各透孔部のいずれか一方より高輝度放電ランプの中心軸について略々軸対称に冷却風が送り込まれるので、この光源装置を用いた画像表示装置の投射姿勢が変化しても、高輝度放電ランプの冷却状態を略々一定に保つことが可能である。
【００２７】
また、送風手段をなすファンは外気を送り込むので、高輝度放電ランプにより高温となされた排気を吸気することがなく、信頼性や耐久性を低下されることがない。
【００２８】
本発明に係る光源装置は、中心部に放電ランプを挿入する第１透孔部が形成され、前記放電ランプから発する光を前方に反射させる凹面反射部を備えたリフレクタと、前記第１透孔部を中心として回転可能であり、前記放電ランプから発する光の出射方向と直交する方向から偏心方向に第２透孔部を有して前記凹面反射部を覆う透明板と、第２透孔部から最も離れた前記透明板の端に設けられた錘と、前記凹面反射部と前記透明板との間に形成された空間内に前記第１又は第２透孔部を介して外気を送り込む送風手段と、を備えたものである。
【００２９】
この光源装置においては、透明板は、リフレクタの前端部の略々中央部と高輝度放電ランプとを結ぶ線を中心軸として回転可能に支持され、この透明板に対しこの透明板の回転中心を介して前方側透孔部の反対側に錘が設けられているため、重力の作用により、常に前方側透孔部が中央部よりも上側となる状態となされる。したがって、前方側透孔部より送り込まれた外気は、常に高輝度放電ランプの上側部分を冷却することになり、この光源装置を用いた画像表示装置の投射姿勢が変化しても、高輝度放電ランプの冷却状態を略々一定に保つことが可能である。
【００３０】
また、送風手段をなすファンは外気を送り込むので、高輝度放電ランプにより高温となされた排気を吸気することがなく、信頼性や耐久性を低下されることがない。
【発明の効果】
【００３１】
本発明に係る光源装置においては、各透孔部のいずれか一方より高輝度放電ランプの中心軸について略々軸対称に冷却風が送り込まれる。
【００３２】
したがって、この光源装置においては、この光源装置を用いた画像表示装置の投射姿勢が変化しても、高輝度放電ランプの冷却状態を略々一定に保つことが可能である。また、送風手段をなすファンは外気を送り込むので、高輝度放電ランプにより高温となされた排気を吸気することがなく、信頼性や耐久性を低下させることがない。
【００３３】
また、本発明に係る光源装置においては、透明板は、リフレクタの前端部の略々中央部と高輝度放電ランプとを結ぶ線を中心軸として回転可能に支持され、この透明板に対しこの透明板の回転中心を介して前方側透孔部の反対側に錘が設けられている。
【００３４】
したがって、この光源装置においては、透明板は、重力の作用により、常に前方側透孔部が中央部よりも上側となる状態となされる。そのため、前方側透孔部より送り込まれた外気は、この光源装置を用いた画像表示装置の投射姿勢が変化しても、常に高輝度放電ランプの上側部分を強く冷却するという冷却状態を保つこととなり、最も高温となる高輝度放電ランプの上側部分を効果的に冷却するとともに、高輝度放電ランプにおいて最も低温となる下側部分の過冷却を防止することができ、高輝度放電ランプの照度特性の向上及び長寿命化を図ることができる。
【００３５】
また、送風手段をなすファンは外気を送り込むので、高輝度放電ランプにより高温となされた排気を吸気することがなく、信頼性や耐久性を低下されることがない。
【００３６】
すなわち、本発明は、画像表示装置の投射姿勢が変化しても高輝度放電ランプの冷却状態を一定の状態に維持することができ、かつ、冷却用のファンが加熱されることが防止され、このファンの信頼性や耐久性が損なわれることがないようになされた光源装置を提供することができるものである。
【発明を実施するための最良の形態】
【００３７】
以下、本発明の実施の形態を図面を参照しながら説明する。
【００３８】
本発明に係る光源装置は、例えば、透過型液晶デバイス、反射型液晶デバイス、あるいは、マイクロミラーデバイスなどの空間光変調素子を備えた画像表示装置において、これら空間光変調素子を照明するために使用されるものである。このような画像表示装置は、光源装置から発せられた光束によって照明された空間光変調素子の像を、結像光学系によってスクリーン上に投射して結像させ、画像表示を行うように構成されている。
【００３９】
〔第１の実施の形態〕
図１は、本発明に係る光源装置の第１の実施の形態における構成を示す図である。図１（ａ）は光源装置の断面図であり、図１（ｂ）は光源装置の正面図である。
【００４０】
本発明に係る光源装置は、図１（ａ）及び図１（ｂ）に示すように、光源となる高輝度放電ランプ１と、この高輝度放電ランプ１を覆うようにして配置されたリフレクタ（凹面反射鏡）２とを有して構成されている。
【００４１】
光源となる高輝度放電ランプ１としては、点光源、高輝度、高演色性等の特性を有するものが好ましく、ショートアークタイプのメタルハライドランプや、超高圧水銀ランプ等が使用される。この高輝度放電ランプ１は、図示しないランプ駆動用電源によって点灯される。
【００４２】
リフレクタ２は、前端部が開放され、後端部に後方側透孔部２ａを有している。また、このリフレクタ２の内壁面は、凹面反射面（放物面鏡、または、楕円面鏡）となっている。高輝度放電ランプ１は、発光点がリフレクタ２の凹面反射面の焦点位置となるように、このリフレクタ２に対して位置決めされて支持されている。したがって、リフレクタ２は、高輝度放電ランプ１から発せられる光を凹面反射面により反射して前方に放射させる。そして、リフレクタ２は、ランプハウス３に固定されている。
【００４３】
リフレクタ２の前端部は、第１の透明板４によって閉蓋されている。すなわち、これらリフレクタ２及び第１の透明板４は、高輝度放電ランプ１を収納する空間を形成している。この第１の透明板４は、少なくとも可視光線を透過する、例えば、石英ガラスなどの材料によって形成されている。この第１の透明板４の略々中央部には、前方側透孔部５が設けられている。
【００４４】
そして、ランプハウス３には、第１の透明板４のさらに前方側に位置して、第２の透明板６が取付けられている。これらランプハウス３の前方側部分と、第１及び第２の透明板４，６とは、閉塞された空間を形成している。この第２の透明板６は、第１の透明板４と同様に、少なくとも可視光線を透過する、例えば、石英ガラスなどの材料によって形成されている。
【００４５】
そして、このランプハウス３の前方側部分の側面部には、外気吸入口７が形成されている。また、ランプハウス３のリフレクタ２よりも後方側部分の側面部には、排気口８が形成されている。
【００４６】
ランプハウス３の前方側部分の側面部には、送風手段となるファン装置９が取付けられている。このファン装置９は、外気吸入口７を介して、ランプハウス３の前方側部分と第１及び第２の透明板４，６により形成された空間内に外気を送り込み、この空間内の圧力を高める。
【００４７】
なお、ファン装置９を構成するファンは、軸流ファンよりも静圧が大きくとれる遠心ファンが好ましい。
【００４８】
ランプハウス３の前方側部分と第１及び第２の透明板４，６により形成された空間内の空気は、ファン装置９によって圧力を高められることにより、前方側透孔部５を介して、リフレクタ２及び第１の透明板４により形成され高輝度放電ランプ１を収納している空間内に送り込まれる。このようにして前方側透孔部５より送り込まれた空気は、リフレクタ２の後方側透孔部２ａを介してリフレクタ２より排気され、さらに、排気口８を介してランプハウス３より排気される。
【００４９】
このとき、前方側透孔部５より高輝度放電ランプ１に向かって送り込まれる冷却風は、前方側透孔部５が高輝度放電ランプ１の中心軸の略々延長線上に位置しているため、高輝度放電ランプ１の中心軸について、略々軸対称な流れとなる。
【００５０】
この光源装置においては、ファン装置９をなす遠心ファンとして、最大静圧１８０Ｐａ、最大流量０．１１ｍ３／minの小型遠心ファンを用いた場合において、下記の〔表１〕に示すように、高輝度放電ランプ１を良好に冷却できることが確認された。なお、投射姿勢Ａ，Ｂ，Ｃ，Ｄは、それぞれ、図１３（ａ）に示す机上に設置した投射姿勢、図１３（ｂ）に示す天井に吊した投射姿勢、図１３（ｃ）に示す仰角を有する投射姿勢及び図１３（ｄ）に示す伏角を有する投射姿勢を示す。
【表１】
2005251633.tif 000003
【００５１】
なお、このような光源装置においては、高輝度放電ランプ１を交換するときには、ファン装置９を装置本体側に残して、ランプハウス３ごと交換するのが一般的である。したがって、ランプハウス３とファン装置９とは、分離できるようにしておくのが好ましい。そして、これらランプハウス３とファン装置９との接続部位は、着脱可能でありながら空気漏れが生じない構造としておくことが望ましい。
【００５２】
図２は、本発明に係る光源装置の第１の実施の形態における構成の他の例を示す平面図である。
【００５３】
本発明に係る光源装置は、図２に示すように、外気吸入口７の内側に、空気抵抗板１０を配置して構成してもよい。この空気抵抗板１０は、外気吸入口７から吸入される外気の流れに主面部を略々直交させ、この外気の流れを遮るようにして配置されている。この空気抵抗板１０は、図１（ａ）中矢印ａで示す外気吸入口７から前方側透孔部５に向けて直接流入する空気量を減らすことにより、この前方側透孔部５を通過した後の冷却風の軸対称性を維持するためのものである。
【００５４】
すなわち、この空気抵抗板１０が外気吸入口７から流入した外気の流速を抑えるとともに流動方向を乱すことにより、前方側透孔部５を通過した後の冷却風は、軸対称性を維持した状態で、高輝度放電ランプ１を冷却する。
【００５５】
図３は、本発明に係る光源装置の第１の実施の形態における構成のさらに他の例を示す平面図である。
【００５６】
本発明に係る光源装置は、図３に示すように、第１の透明板４と第２の透明板６との間に、さらに、第３の透明板１１を設けて構成してもよい。この第３の透明板１１は、第１及び第２の透明板４，６と同様の材料により形成されており、ランプハウス３の前端部分と第１及び第２の透明板４，６とが形成する空間を前後に分割している。
【００５７】
また、この第３の透明板１１には、複数の透孔部１２が形成されている。この第３の透明板１１の各透孔部１２は、この第３の透明板１１の略々全面に亘って、比較的小さな透孔部として形成されている。この第３の透明板１１は、各透孔部１２を通した空気をランプハウス３の前端部分と第１及び第３の透明板４，１１とが形成する空間内に送ることにより、この空間内の圧力分布を均一化し、前方側透孔部５を通過した後の冷却風の軸対称性を良好とする。
【００５８】
図４は、前方側透孔部の形状を示す正面図である。図４（ａ）は前方側透孔部の一例を示し、図４（ｂ）は前方側透孔部の形状の他の例を示し、図４（ｃ）は前方側透孔部のさらに他の例を示す。
【００５９】
この光源装置において、前方側透孔部５は、図４（ａ）に示すように、前述したように、第１の透明板４の中心部分に形成されたものに限定されず、図４（ｂ）に示すように、第１の透明板４の中心部分を囲んで形成された複数の透孔部としてもよい。
【００６０】
このように、前方側透孔部５の位置及び形状を変更することにより、高輝度放電ランプ１に対する冷却状態や、前方側透孔部５を通過した後の冷却風の対象性の調整を行うことが可能である。すなわち、第１の透明板４の中心部分に前方側透孔部５を形成した場合に高輝度放電ランプ１の先端部の冷却が強すぎる場合には、図４（ｂ）に示すように、第１の透明板４の中心部分を囲んで複数の透孔部を形成することにより、高輝度放電ランプ１の先端部の冷却を弱めることが可能である。
【００６１】
さらに、図４（ｃ）に示すように、高輝度放電ランプ１の下側部分に対応する部分の透孔をなくすことにより、高輝度放電ランプ１の発光管の下側部分に対する冷却を弱めて、上側部分と下側部分との冷却のバランスをとることが可能である。
【００６２】
〔第２の実施の形態〕
図５は、本発明に係る光源装置の第２の実施の形態における構成を示す図である。図５（ａ）は光源装置の縦断図であり、図５（ｂ）は光源装置の斜視図である。
【００６３】
本発明に係る光源装置は、図５（ａ）及び図５（ｂ）に示すように、第１の透明板４をリフレクタ２の前端部の略々中央部と高輝度放電ランプ１とを結ぶ線を中心軸として回転可能として支持し、前方側透孔部５を第１の透明板４の回転中心に対して偏心した位置とし、さらに、第１の透明板４にこの第１の透明板４の回転中心を介して前方側透孔部５の反対側に錘１３を設けて構成することとしてもよい。
【００６４】
この光源装置は、前述の第１の実施の形態における光源装置と同様に、光源となる高輝度放電ランプ１と、この高輝度放電ランプ１を点灯させる図示しないランプ駆動用電源と、前端部が開放され後端部に後方側透孔部２ａを有し高輝度放電ランプ１から発せられる光を凹面反射面により反射して前方に放射させるリフレクタ２とを備えている。また、この光源装置は、前述の第１の実施の形態における光源装置と同様の送風手段を備えている。
【００６５】
図６は、本発明に係る光源装置の第２の実施の形態における第１の透明板４の構成を示す図である。図６（ａ）は光源装置の透明板４の斜視図であり、図６（ｂ）は光源装置の透明板４の断面図である。
【００６６】
この光源装置においては、リフレクタ２の前端を閉蓋している第１の透明板４は、このリフレクタ２にも、また、ランプハウス３にも固定されておらず、リフレクタ２の前端部の略々中央部と高輝度放電ランプ１の中心軸とを結ぶ線を中心軸として回転可能となされている。すなわち、この第１の透明板４は、図６（ａ）及び図６（ｂ）に示すように、ランプハウス３に設けられたガイド部１４により外周縁部を支持されており、このガイド部１４に沿って回転摺動する構造になっている。
【００６７】
図７は、本発明に係る光源装置の第２の実施の形態における第１の透明板４を示す図である。図７（ａ）は光源装置の透明板４の構成を示す正面図であり、図７（ｂ）は透明板４が回転した状態を示す正面図である。
【００６８】
この第１の透明板４に設けられた前方側透孔部５は、図７（ａ）に示すように、第１の透明板４の回転中心に対して偏心した位置に設けられている。また、この第１の透明板４には、この第１の透明板４の回転中心を介して前方側透孔部５の反対側に、錘１３が設けられている。
【００６９】
この第１の透明板４は、この光源装置の姿勢が変化したときには、重力の作用により、図７（ｂ）に示すように、常に、錘１３を最下端の位置とする状態まで回転され、停止する。このとき、第１の透明板４の前方側透孔部５は、この第１の透明板４の回転中心よりも上方側に位置することとなる。
【００７０】
したがって、この前方側透孔部５を介してリフレクタ２内に送り込まれる冷却風は、図１３（ａ）乃至図１３（ｄ）に示したように、この光源装置が使用される画像表示装置の投射姿勢が変化しても、常に、高輝度放電ランプ１の上側部分を強く冷却することとなる。
【００７１】
なお、この第２の実施の形態における光源装置においては、送風手段を、ランプハウス３の排気口８又は１０６を介してランプハウス３内の空気を吸引して排気するものとしてもよい。この場合にも、前方側透孔部５を介してリフレクタ２内に冷却風が送り込まれ、この冷却風は、この光源装置が使用される画像表示装置の投射姿勢が変化しても、常に、高輝度放電ランプ１の上側部分を強く冷却することとなる。
【図面の簡単な説明】
【００７２】
【図１】本発明に係る光源装置の第１の実施の形態における構成を示す図である。
【図２】本発明に係る光源装置の第１の実施の形態における構成の他の例を示す平面図である。
【図３】本発明に係る光源装置の第１の実施の形態における構成のさらに他の例を示す平面図である。
【図４】本発明に係る光源装置第１の実施の形態における前方側透孔部の形状を示す正面図である。
【図５】本発明に係る光源装置の第２の実施の形態における構成を示す図である。
【図６】本発明に係る光源装置の第２の実施の形態における第１の透明板を示す図である。
【図７】本発明に係る光源装置の第２の実施の形態における第１の透明板を示す図である。
【図８】従来の光源装置を備えた画像表示装置の構成を示す図である。
【図９】従来の光源装置における冷却機構の構成を示す平面図である。
【図１０】従来の光源装置における冷却機構の構成を示す断面図である。
【図１１】従来の光源装置において導風板を取り付けた例を示す断面図である。
【図１２】従来の光源装置において通気口の位置を高輝度放電ランプより上方側とした例を示す断面図である。
【図１３】各投射姿勢における画像表示装置を示す側面図である。
【図１４】図１１に示した光源装置が天井から吊り下げた投射姿勢となった状態を示す断面図である。
【図１５】図１４に示した光源装置が天井から吊り下げた投射姿勢となった状態を示す断面図である。
【符号の説明】
【００７３】
１  高輝度放電ランプ
２  リフレクタ
３  ランプハウス
４  第１の透明板
５  前方側透孔部
６  第２の透明板
７  外気吸入口
８  排気口
９  ファン装置
１３  錘
【図１】
2005251633.tif 000004
【図２】
2005251633.tif 000005
【図３】
2005251633.tif 000006
【図４】
2005251633.tif 000007
【図５】
2005251633.tif 000008
【図６】
2005251633.tif 000009
【図７】
2005251633.tif 000010
【図８】
2005251633.tif 000011
【図９】
2005251633.tif 000012
【図１０】
2005251633.tif 000013
【図１１】
2005251633.tif 000014
【図１２】
2005251633.tif 000015
【図１３】
2005251633.tif 000016
【図１４】
2005251633.tif 000017
【図１５】
2005251633.tif 000018